(57)【要約】【課題】本発明は、バイオメトリックスによる本人確認と、本人確認に伴う権利取得および行使を可能とするもので、従来の印鑑、証明証、定期券、プリペイドカードといった物理的な証明証やカード等に代わる役割を人体データに持たせた、バイオメトリックスの用途発明に関する。【解決手段】バイオメトリックスによる本人確認と、本人が予め権利行使のために支払った代価に相当した権利を行使する可能なシステムにおいて、権利行使を許可するか否かを判断する手段、権利取得希望者を権利取得者と認める手段、権利行使の許可と権利行使限度データをメッセージとして端末に送信し、端末でそのメッセージを権利取得者に伝える手段、権利行使限度内で権利を行使する手段を備えたバイオメトリックス権利取得行使システム。【選択図】図１
2005182240.tif 000002
【特許請求の範囲】
【請求項１】
バイオメトリックスによる本人確認と、本人が予め権利行使のために支払った代価に相当した権利を行使することのできるシステムにおいて、
(1)人体測定装置付き端末を設置している権利行使現場（例：店）、および管理データベースを管理する管理サーバーを備えた管理センターとで構成され、管理サーバーが前記端末で入力した権利取得者の人体測定データを管理データベースの照合元人体測定データと照合して個人認証を行い、かつ権利行使を許可するか否かを判断する手段、
(2)権利取得希望者は権利を取得するために予め代金を支払い、かつその時点で権利取得証明書となる権利取得希望者の人体測定データを人体測定装置付き端末で読み取って管理サーバーに送信する手段、および管理サーバーが前記人体測定データを管理データベースに登録し、権利取得希望者を権利取得者と認める手段、
(3)権利行使時、権利取得者が権利行使現場に設置の人体測定装置付き端末で人体測定データを入力すると、人体測定データが通信回線を介して管理センターの管理サーバーに送信され、管理サーバーが受信した人体測定データと管理データベースに登録の照合元人体測定データとを照合し、本人か否かの判断を下し、本人と確認されたとき、権利行使限度データを管理データベースより読み出して、権利行使の許可と権利行使限度データをメッセージとして端末に送信し、端末でそのメッセージを権利取得者に伝える手段、
(4)権利取得者は、前記メッセージを参照し、権利行使限度内で権利を行使する手段、
を備えたことを特徴とするバイオメトリックス権利取得行使システム。
【請求項２】
請求項１に記載のバイオメトリックス権利取得行使システムを定期券に適用したシステムにおいて、
(1)定期券利用者（この時点では希望者）が定期券発行窓口で定期券購入用紙に必要項目を書き込み、定期券代金を支払って係員に提出すると、係員は掌形読取装置付き端末で定期券利用者の掌形を読み取り、かつ定期券利用者が記入した定期券購入用紙に記述されている支払い代金、定期券の有効区間、有効期間、年齢、住所、職業等をキー入力し、通信回線を通して該諸データを管理センターの管理サーバーに送信する手段、  
(2)管理センターの管理サーバーは、受信した諸データのエラーチェックを行うとともに、エラーのない場合には管理データベースに登録し、掌形による定期券利用を許可するメッセージを通信回線を介して端末に送信する手段、
(3)受信した定期券利用許可メッセージは端末のディスプレイに表示され、係員は該メッセージを確認して、定期券（掌形の利用期間証明書）の印刷を行い、掌形が定期券として利用できる旨を定期券利用者に告げる手段、
(4)定期券利用者は掌形読取装置付き自動改札機で掌形を読み取らせることによって、定期券有効区間および定期券有効期間内で改札口を自由に通過できる手段、
を備えたことを特徴とする請求項１に記載のバイオメトリックス権利取得行使システム。
【請求項３】
請求項１に記載のバイオメトリックス権利取得行使システムを会員証（例：フィットネスクラブの会員証）に適用したシステムにおいて、
(1)会員証利用者（この時点では希望者）が会員証発行窓口で会員証代金を支払うと、係員は人体測定装置付き端末で代金、会員証有効期間、氏名、生年月日、住所、職業等を入力し、かつ利用者の人体測定データ（例：掌形、指紋等）を読み取り、通信回線を通して該諸データを管理センターの管理サーバーに送信する手段、  
(2)管理センターの管理サーバーは、受信した諸データのエラーチェックを行うとともに、エラーのない場合には人体測定データを含む各種データを管理データベース（会員証データベース）に登録し、人体測定データによる会員証利用を許可するメッセージを通信回線を通じて端末に送信する手段、
(3)前記会員証利用許可メッセージを受信した端末は、人体測定データによる会員証利用許可をディスプレイ画面に表示し、係員は該メッセージを確認して、会員証（会員証の利用期間証明書）を印刷するとともに、人体測定データが利用できる旨を会員証利用者に告げる手段、
(4)会員証利用者は会員証が使える店に行き、店の人体測定装置付き端末で人体測定データを読み取らせることによって、会員証利用者が会員としての権利行使を行うことのできる手段、
を備えたことを特徴とする請求項１に記載のバイオメトリックス権利取得行使システム。
【請求項４】
請求項１に記載のバイオメトリックス権利取得行使システムを会員権（例：ゴルフ会員権）に適用したシステムにおいて、
(1)会員権利用者（この時点では希望者）が会員権発行窓口で会員権代金を支払うと、係員は人体測定装置付き端末で会員権利用者の人体測定データ（例：掌形、指紋等）を読み取るととともに、代金、会員権有効期間、生年月日、住所、職業等を入力し、通信回線を介して該諸データを管理センターの管理サーバーに送信する手段、  
(2)管理センターの管理サーバーは、受信した諸データのエラーチェックを行うとともに、エラーのない場合には人体測定データを含む各種データを管理データベース（会員権データベース）に登録し、人体測定データによる会員権利用を許可するメッセージを通信回線を通じて端末に送信する手段、
(3)前記会員権利用許可メッセージを受信した端末は、人体測定データによる会員権利用許可をディスプレイ画面に表示し、係員は該メッセージを確認して、会員権（会員権の利用期間証明書）を印刷するとともに、人体測定データが利用できる旨を会員権利用者に告げる手段、
(4)会員権利用者は会員権を使える店（ゴルフ会員権の場合にはゴルフ場）に行き、店の人体測定装置付き端末で人体測定データを読み取らせることによって、会員権利用者が会員としての権利を行使することを可能とする手段、
を備えたことを特徴とする請求項１に記載のバイオメトリックス権利取得行使システム。
【請求項５】
請求項１に記載のバイオメトリックス権利取得行使システムをプリペイドカード（例：パチンコ店のプリペイドカード）に適用したシステムにおいて、
(1)プリペイドカード利用者（この時点では希望者）がプリペイドカード発行窓口でプリペイドカード購入代金を支払うと、係員が人体測定装置付き端末でプリペイドカード利用者の人体測定データ（例：掌形、指紋等）を読み取るととともに、代金を入力し、通信回線を通して該諸データを管理センターの管理サーバーに送信する手段、  
(2)管理センターの管理サーバーは、受信した諸データのエラーチェックを行うとともに、エラーのない場合には人体測定データおよび代金を管理データベースに登録し、人体測定データによるプリペイドカード利用許可メッセージを通信回線を通じて端末に送信する手段、
(3)前記プリペイドカード利用許可メッセージを受信した端末は、人体測定データによるプリペイドカード利用許可メッセージをディスプレイ画面に表示し、係員は該メッセージを確認して、確認書（プリペイドカード代金）を印刷してプリペイドカード利用者に手渡す手段、
(4)利用者はプリペイドカードが使える店に行き、店の人体測定装置付き端末で人体測定データを読み取らせることによって、利用者が支払い金額分の権利を行使することを可能とする手段、
を備えたことを特徴とする請求項１に記載のバイオメトリックス権利取得行使システム。
【請求項６】
請求項１に記載のバイオメトリックス権利取得行使システムをテレホンカードに適用したシステムにおいて、
(1)利用希望者がテレホンカード発行窓口でプリペイドカード購入代金を支払うと、係員が音声入力装置付き端末で利用希望者の音声（例えば「氏名」を名乗ったときの音声）を入力するととともに、利用希望者の支払った代金を入力し、通信回線を通して該諸データを管理センターの管理サーバーに送信する手段、
(2)管理センターの管理サーバーは、受信した諸データのエラーチェックを行うとともに、エラーのない場合には音声データおよび代金を管理データベース（テレホンカードデータベース）に登録し、音声によるテレホンカードを許可するメッセージを通信回線を通じて端末に送信する手段、
(3)前記テレホンカード利用許可メッセージを受信した端末は、音声によるテレホンカード利用許可メッセージをディスプレイ画面に表示し、係員は該メッセージを確認し、確認書（領収書）を印刷してテレホンカード利用希望者に手渡す手段、
(4)利用者（前記の利用希望者）は特殊ボタン付き公衆電話で該特殊ボタンを押し、音声（前記の例では「氏名」を名乗ったときの音声）を発音すると、音声データは管理センターの管理サーバーで音声照合がなされ、本人と確認した場合、利用許可と利用度数あるいは残高を音声で告げる手段、
(5)管理サーバーより利用許可を得た利用者が、従来通りの操作で通話を行う手段、
を備えたことを特徴とする請求項１に記載のバイオメトリックス権利取得行使システム。
【請求項７】
請求項６に記載のバイオメトリックス権利取得行使システムをテレホンカードに適用したシステムにおいて、
電話加入者がテレホンカード発行窓口で音声のみを登録し、特殊ボタン付き公衆電話で特殊ボタンを押して、請求項６に掲載の手段で公衆電話を利用した際、利用代金が利用度数に応じて月々の電話代金に加算される手段、
を備えたことを特徴とする請求項１に記載のバイオメトリックス権利取得行使システム。
【請求項８】
請求項５、６に記載のプリペイドカード、テレホンカードシステムにおいて、
利用希望者が発行窓口の代わりに自動発行機で権利が獲得できる手段を備えたことを特徴とする請求項１に記載のバイオメトリックス権利取得行使システム。
【請求項９】
バイオメトリックスによる本人確認を従来の証明書や印鑑等に代わる個人認証システムにおいて、
(1)認証管理センターの認証管理サーバーに接続の認証管理データベースに予め被認証者の人体測定データおよび各種データを登録しておき、被認証者が人体測定データを人体測定装置付き端末で入力して通信回線を介して送信すると、人体測定データを受信した認証管理サーバーは、認証管理データベースに登録の照合元人体測定データと照合し、照合が合致した場合、本人と認証して、その旨を伝えるメッセージを端末に送信する手段、および前記の手段により従来の証明書や印鑑などに代わって人体測定データのみで認証処理が完結する手段、
(2)前記の認証手段を、年齢認証、選挙有権者、登記簿、住民確認、印鑑証明、身分証明書、受験生確認、保護者確認（保育園や幼児委託所での保護者確認と園児または幼児の引き渡し）、痴呆老人の身元確認、学校の出席簿、納税時の本人確認、運転免許証、資格証明証、銀行カードの代用、ポイントカード代用、名刺の本人確認、の各分野に適用する手段、
を備えたことを特徴とするバイオメトリックス個人認証システム。
【請求項１０】
請求項９に記載のバイオメトリックス個人認証システムを拡大し、自動車のドライバー確認とドア開閉において、
自動車に設置の人体測定読取装置からドライバーの人体測定データを読み取り、車内に設置の個人認証装置または認証管理センターの認証管理サーバーで前記人体測定データを基にドライバー確認（個人認証）を行い、予め登録されている被認証者と認められたとき、ドアロックを解除する手段、
を備えたことを特徴とするバイオメトリックス個人認証システム。
【請求項１１】
請求項１０に記載のドライバー確認において、
(1)人体的特徴として声を用い、声紋照合による認証および音声認識によるキーワイド認証でドライバーを確認してドアの開閉を行う手段、
(2)あるいは顔形認証と声紋認証紋認証などの複数の人体的特徴を組み合わせてバイオメトリックス個人認証を行い、自動車のドライバー確認とドア開閉を行う手段、
を備えたことを特徴とするバイオメトリックス個人認証システム。
【発明の詳細な説明】
【技術分野】
【０００１】
本発明は、バイオメトリックスによる本人確認と、本人確認に伴う権利取得および行使を可能とするもので、従来の印鑑、証明証、定期券、プリペイドカードといった物理的な証明証やカード等に代わる役割を人体データに持たせた、バイオメトリックスの用途発明に関する。
【背景技術】
【０００２】
指紋、手掌、音声、虹彩、網膜、顔、足紋、歩調、署名等の、身体的、生体的（生理的）あるいは行動パターンなどによる個人認証の技術が進んでいる。署名や指紋は古くから行われている個人認証方法である。掌（手のひら）も指紋と同様な認証解析方法がとれるが、指紋ほどには一般化していない。しかし掌は対象が大きいために非接触による読み取りがしやすく、しかも被認証者に抵抗感が少ないというメリットがある。一方、声紋解析は電話による犯罪捜査で注目を浴びている。とくに誘拐事件では電話での身代金要求が行われるために、声紋解析は犯人捜査上、重要な手がかりになっている。
【０００３】
『電子保険証システム、端末装置、計算機、保険証情報送信方法、保険証情報送信プログラム及び保険証情報送信プログラムを記録したコンピュータ読み取り可能な記録媒体』（特開2002-230157）では、ネットワークを通じて遠隔地から医療機関に対して保険証情報の送受信を行い、正確な保険情報の維持、医療費の精算を行う電子保険証システムについて触れられている。保険証情報の送受信の際に、指紋や声紋などのバイオメトリックス（biometrics：生物測定）による個人認証にも触れられている。精度の高い個人認証を行う方法としては、『音声辞書作成方法、個人認証装置および記録媒体』（特開平11-344992）がある。
【０００４】
バイオメトリックスによる個人認証は、何らかの権利を行使するときに権利行使者の本人確認を行うものである。例えばクレジットカードを使用するとき、クレジットカード所有者＝クレジットカードの持ち主（カードの権利取得者）とは限らないために、サインなどによる本人確認が行われる。この場合、カードが主役であり、サインは脇役である。ところが、バイオメトリックスによる個人認証のみで商品購入が行えるシステムに関しては、『指紋認証によるキャッシュレス取引システム及びプログラム』（特開2002-251584）がある。このシステムでは、指紋を個人認証のツールとして使用し、クレジットカードや現金がなくても、予め指紋登録をした会員となっていれば、指紋で本人確認が行われ、商品が購入できるようにしている。
【０００５】
同様に、『自動販売機による商品販売システム、自動販売機、プログラムおよび記録媒体』（特開2003-85624）では、クレジットカード情報や認証情報を予め顧客情報データベースに登録しておくことによって、個人認証情報を自動販売機に入力するだけで、希望の商品が自動販売機より購入できるシステムを提唱している。認証情報として、声紋データや眼底写真データいわゆるバイオメトリックスデータを利用することについても触れられている。
【０００６】
掌形認証では、指の長さ、掌の大きさ、皺などを照合する方法が用いられている。掌形の読取装置としては、一般にイメージスキャナが用いられる。読取装置としてＣＣＤカメラを使ったものとしては、エム・エー・ジェーの掌形判定装置がある。これは、ＣＣＤカメラで読み取った掌のうち、指の付け根から指先までの形で判定する方法で、誤認識率は0.1％であるという。ＣＣＤカメラの場合、非接触読み取りが可能であり、直接デジタルのイメージデータが得られるというメリットがある。また新しいところでは、富士通研究所が開発した静脈パターン解析法では、静脈パターンが使われている。静脈パターンは胎内で定まった後は、大きさが成長に合わせて変化する以外は、一生変わらない。また双子でも、静脈パターンは異なるといわれている。このため、静脈パターンを近赤外線で読み取って解析して個人認証する方法は有望視されている。『個人認証装置、個人認証方法、プログラム』（特開2003-150962）では、手首の静脈パターンを認識の対象にしている。『個人認証システム』（特開2002-279426）では、手の甲の静脈パターンを認識の対象にし、手の甲以外からの情報を排除する方法が述べられている。
【特許文献１】特開２００２−２３０１５７
【特許文献２】特開平１１−３４４９９２
【特許文献３】特開２００２−２５１５８４
【特許文献４】特開２００３−８５６２４
【特許文献５】特開２００３−１５０９６２
【特許文献６】特開２００２−２７９４２６
【発明の開示】
【発明が解決しようとする課題】
【０００７】
従来技術で見てきたように、バイオメトリックスによる個人認証には様々な方法が開発されている。人体のあらゆる部分が個人認証の対象になりえると言っても過言でない。昔は血液はＡ、Ｂ、Ｏ、ＡＢの四つの型でしか見分けられなかったが、いまではもっと細かな型に分類できる。遺伝子解析に至っては、クローン人間が存在しないという前提に立てば、一卵生双生児の問題はあるものの、完全に個人を特定できる。しかし一般にバイオメトリックスによる個人認証では、取り扱いのやすさ、被認証者の抵抗感などを考慮すると署名（サイン）、指紋、掌形、声紋、虹彩、顔かたちなどの表面的な人体的特徴が使われている。
【０００８】
個人認証は、個人を特定することによって“なりすまし”による悪意の第三者の不正防止に使われている。クレジットカードによる署名や、インターネットでのアクセス許可（一般にパスワードと併用）を声紋で行うなどの個人認証などが、この例である。従来技術で挙げた『指紋認証によるキャッシュレス取引システム及びプログラム』のように、クレジットカードや現金がなくても商品購入が行えるシステムなどは、バイオメトリックスの応用を従来よりも拡大したものである。
【０００９】
本発明が解決しようとする課題は、すでに公開されている特許出願案件と同様にバイオメトリックス技術を用いて、バイオメトリックスのみで権利の行使や個人確認が行える適用分野を広げることを目的にしている。
【課題を解決するための手段】
【００１０】
発明が解決しようとする課題を解決するために、従来バイオメトリックスによる個人認証を本人確認にのみ使用していたものを、本人確認と同時に他の機能を兼用させる。一つは、代金を先払いし、人体測定データを登録して権利を取得し、商品購入などの権利の行使を人体測定データのみで行うことができるシステム（バイオメトリックス権利取得行使システム）である。もう一つは、これまで身分を証明する物（例：運転免許証）を必要とした身分や資格証明を、人体測定データよる個人確認（認証）だけで完結させる処理システム（バイオメトリックス個人認証システム）である。バイオメトリックス権利取得行使システムは、以下の手段からなっている。
【００１１】
本システムは、個人認証用人体測定データと個人の取得済み権利データを管理データベースで管理する管理サーバーと、権利取得者が権利を行使するための人体測定装置付き端末とから構成され、管理サーバーと端末とは通信回線で結ばれている。人体測定装置付き端末で権利取得者が人体測定データを入力して管理サーバーに送信すると、管理サーバーが登録済みの人体測定データと照合して個人認証を行い、照合が一致した場合に、その被認証者（権利取得者）の取得権利の権利行使限度データをデータベースより読み出し、端末へ送信する。権利取得者は権利行使限度内で権利の行使を行い、その結果を管理サーバーに送信される。管理サーバーは受信した権利行使結果をもとに権利行使限度データを更新する。以上で、一連の権利行使に伴う処理が完結する。もちろんこの一連の処理を可能にするために、予め権利取得のためのデータ（人体測定データと代金）を管理データベースに登録しておく必要がある。
【００１２】
本発明のバイオメトリックス権利取得行使システムが対象にしている適用分野は定期券、フィットネスクラブなどの会員証、ゴルフの会員権、テレホンカード、プリペイドカードの代用としてのバイオメトリックス権利所得行使である。個々によって、その内容が若干異なる。詳しくは発明の実施の形態で説明する。
【００１３】
バイオメトリックス個人認証システムは、予め人体測定データを管理サーバーのデータベースに登録しておくだけで、本人確認を行うもので、本発明の対象は、年齢認証、選挙有権者、登記簿、住民確認、印鑑証明、身分証明書、受験生確認、保護者確認（保育園や幼児委託所での保護者確認と園児または幼児の引き渡し）、痴呆老人の身元確認、学校の出席簿、納税時の本人確認、運転免許証、資格証明証、銀行カードの代用、ポイントカード代用、名刺の本人確認、自動車のドライバー確認とドアの開閉、の各分野である。具体的には、発明の実施の形態で説明する。
【発明の効果】
【００１４】
本発明はバイオメトリックスによる個人認証と権利取得行使に関するものである。従来、人体的特徴や生理的特徴による個人認証は本人確認のためのものである。例えばクレジットカード使用時にサインを求め、筆跡鑑定によって個人認証を行い、本人確認を行ってクレジットカードの所有者であるかの判定を行っていた。最近は指紋、音声、虹彩などの人体的特徴をコンピュータで判定する個人認証手段が様々な形で提唱されている。しかし、いずれの場合も、本人確認は補助的なものであった。これに対して、従来技術で挙げた『指紋認証によるキャッシュレス取引システム及びプログラム』のように、クレジットカードや現金がなくても商品購入が行えるシステムは、バイオメトリックスの応用を従来よりも拡大したものである。本発明はさらにバイオメトリックスの応用を拡大し、バイオメトリックスのみで権利獲得、行使、個人認証を行うシステムである。バイオメトリックスを用いているために、権利取得者、認証対象者の本人認証が確実なうえ、そのまま権利の行使が行えるメリットがある。したがって、落とすことも、忘れることもなく、また偽造される危険性も極めて小さいという効果をもっている。
【００１５】
定期券代用システムは定期券に代わって掌形を用いているために、定期券を落とすこともなく、また偽造されることもない。定期券を利用権利を持たない第三者に貸して利用されるという問題点は、これまで方法では解決されていなかった。これに対して本システムでは定期券を購入した本人の掌形を利用するために、定期券が第三者に使われる心配はない。一方、利用者にとっては鞄から定期券を出す面倒もなく、また「定期券を家に忘れたために定期券が使えない」というマイナス面もなくなる。
【００１６】
プレイペイドカード代用システムでは予め代金を支払ってあるために、提供者側には代金の徴収漏れがないという利点があり、利用者（権利取得行使者）にはプレイペイドカードを失う恐れがないとう利点がある。プリペイドカードは、そのつど現金を支払う必要もなく、また釣り銭などの処理も必要ないために、提供者、利用者双方に利点がある。これまでのプレイペイドカードは、利用者には、すべての金額を使う前にカードを紛失したり、使い忘れるという不利益があった。一般にプリペイドカードが１００％利用されることなく失われる金額は、売上金額の１割ほどあるといわれている。それだけ、利用者は損をしていた。これに対して、バイオメトリックスによるプリペイド代用では、権利をすべて使い果たすことができる。
【００１７】
本発明の会員証、会員権代用システムを用いることにより、提供者側には偽造や“なりすまし”による悪用が避けられるというメリットがあり、利用者には人体測定データのみで権利が行使できるために、至って便利であり、盗用や悪用を避けることができるというメリットがある。
【００１８】
テレホンカード代用システムでは音声のみで通話が行えるために、利用者に簡単かつ便利なシステムが提供できる。また、プレイペイドカードの場合と同様に、カード代金をすべて使用しないうちに紛失するということもないので、先払い代金の完全利用が可能という利点がある。提供者側には、先払いで代金が受け取れるとう利点がある。また加入電話の通話料に上乗せする形態の場合には、本人以外の通話を完全にシャットアウトできるために、利用者との間のトラブルを回避できるというメリットをもっている。
【００１９】
バイオメトリックス個人認証システムは、基本的に従来の個人認証システムと同じであるが、本発明においては、それを個々の分野に拡大適用することによって、提供者、利用者双方に確実で、かつ簡便な利用手段を提供している。例えば、年齢認証、選挙有権者、登記簿、住民確認、印鑑証明、身分証明書、受験生確認、保護者確認、学校の出席簿、納税時の本人確認などは、本人以外の第三者を完全に排除できるために、安全で確実な個人認証とそれに伴う権利の行使を可能としている。資格証明証、名刺の本人確認は、指紋などの人体的特徴を証明証や名刺に押印しておき、それを人体測定装置で読み取らせて認証管理センターで確認することによって、第三者が盗用して悪用することが避けられる。また運転免許証では、運転免許不携帯ということがなくなるばかりでなく、偽造運転免許証の防止にもなる。銀行カードの代用では、本人確認と同時に預金引き出しや振替などの処理が行え、銀行カードの盗難による不正預金引き出しが防止できる。ポイントカード代用では、新たなカードを発行する必要もないし、本人以外の人のポイントカードのポイント蓄積や利用も防止できる。商店で発行しているポイントカードの場合、利用者はよくポイントカードを家に忘れることが多く、せっかく商品を買ってポイントを貯められる機会を逃すことが多い。そのような不利益も、避けることができるようになる。
【００２０】
自動車におけるドライバー確認および自動車のドア開閉では、ドライバー確認を自動車に設置の認証装置あるいは通信による認証管理センターでの本人確認を行うために、ドライバーはキーを忘れても自動車のドアを開けることができる。またドライバー本人の確認を人体的特徴を用いているために、他の人による不正ドア開閉を防止できる。
【００２１】
お年寄りの身元確認や幼児の引き渡しの場合、名札や携帯電話などによる本人確認が提唱されている。携帯電話の場合、ＧＰＳと絡めてお年寄りや幼児の現在位置を知るというメリットはあるが、携帯電話を持たずに出かけることも多い。本発明では位置の確認は行えないが、人体的特徴で個人認証を行っているために、名札や携帯電話のように身元を確認する証明書を持たずに出かけるということがない。すなわち本発明では、痴呆老人のような自分の名前や住まいもわからない人の身元確認が確実に行える。また幼稚園や保育所での保護者の園児や幼児の引き取りの場合などでは、確実に保護者と幼子との関係が付けられ、施設からの引き取り時に起きる誘拐を防止できる。
【発明を実施するための最良の形態】
【００２２】
発明の実施の形態を図を用いて説明する。図１は、バイオメトリックス権利取得行使システムのシステム構成図である。管理センター1の主なハードウェアは、管理サーバー100と管理データベース110とから構成される。なお以下では、管理データベースは単に“管理ＤＢ”と記述する。一方、権利行使現場2の主なハードウェアは、端末本体210、ディスプレイ211、キーボードやマウスなどの入力装置212、人体測定装置213等から構成されている。これらの装置をまとめて人体測定装置付き端末200または単に端末200と記述する。権利行使現場は権利取得者の権利行使場所であり、ときには権利取得場所でもある。権利行使場所と権利取得場所が同じ場合もあれば、異なる場合もある。定期券システムの場合は、権利取得場所と権利行使場所が一般に異なる。
【００２３】
権利を取得するには、まず権利行使場所2で代金を払い、端末200の人体測定装置213で人体測定データを権利取得希望者の人体特徴を入力するとともに、権利取得希望者の付随情報（例：支払い金額、氏名等）を付加して通信回線9を介して管理センター1の管理サーバー200に送信する。管理サーバー100は、受信データを管理ＤＢ110に登録して権利取得処理が完了したことを端末に送信する。これで、権利取得希望者は権利取得者となる。なお、通信回線は電話回線やインターネットなどの通信手段を用いる。
【００２４】
権利取得者が権利を行使する場合は、現場2の人体測定装置213で登録したと同じ人体部位を入力すると、その人体測定データが管理サーバー100に送信される。管理サーバー100は送信されてきた人体測定データと管理ＤＢ110の登録済み人体測定データとを照合し、照合が合致するデータが見つかると、管理サーバーは権利行使限度データ（一般に金額）を読み出し、端末200に送信する。権利取得者は端末のメッセージを見て、権利行使限度内で権利を行使することができる。このとき、端末に表示メッセージは管理サーバーより送信されたメッセージである場合もあれば、単に信号を受信して端末でメッセージに変換される場合もある。
【００２５】
図２は、バイオメトリックス権利取得行使システムを鉄道機関の定期券に応用したシステム構成図である。図１の現場2は、図２では定期券発行窓口になる。ここで権利取得希望者（利用者）は区間（通勤、通勤などの区間）、期間、住所、氏名、年齢などを用紙に書いて係員に渡す。係員は内容をチェックし、金額を伝える。利用者は金額を支払い、人体測定装置213で掌形を入力する。掌形データ、住所、氏名、年齢等のデータが端末200より管理サーバー100に送信される。掌形データ以外のデータは、キーボードなどの入力装置212で入力される。管理サーバーでは受信データの内容をチェックし、エラーのない場合にはデータを管理ＤＢ110に登録し、受諾メッセージを端末に返信する。端末のディスプレイ211にそのメッセージが表示されるので、係員は領収書や定期券を発行する。このとき、同時に掌形が定期券代わりとして使用できることを利用者に告げる。以上で、権利取得（定期券購入）は完了する。
【００２６】
利用者が改札口3に設置されている改札機300の人体測定装置313に手のひらを当てると、掌形データが読み取られる。改札機（改札機と管理サーバーの間に端末を介する場合には端末機＜図では端末機は省略＞）は、場所情報を付加し、掌形データとともに通信回線9を通して管理サーバー100に送信する。管理サーバーは管理ＤＢ110から受信した掌形データと同じ掌形データがないかを検索し、合致したデータが見つかったとき、利用区間や有効期間などがチェックされ、問題がない場合には、通過許可信号を改札機に送信する。通過許可信号を受信した改札機は扉314を開き、利用者が通過できるようにする。
【００２７】
なおバスのような改札機のない交通機関の定期券利用の場合には、図２の改札機に代わる人体測定装置付き端末をバス内に設置し、無線ＬＡＮを介して中間端末に掌形データを送信し、さらに中間端末から通信回線9を介して管理サーバーに掌形データを送信する形態になる。
【００２８】
つぎに、バイオメトリックス権利取得行使システムを会員証、会員権、プリペイドカードに応用したシステムについて説明する。人体測定部位としては掌形、指紋、目の虹彩、声紋などが利用できるが、利用しやすい人体部位としては、前２者であろう。会員証や会員権などの場合には、権利取得者（利用者）の氏名、住所、生年月日などの付加情報を必要とする。プリペイドカードの場合には、通常代金と人体測定データのみでよい。図１の示した現場2は一般に権利取得場所であり、権利行使場所でもある。先に説明した一般的な利用方法でよいから、詳細説明は省略するが、プリペイドカードをパチンコ店で応用する場合の例を実施例で説明する。
【００２９】
つぎにバイオメトリックス権利取得行使システムをテレホンカードに適用したシステムについて説明する。テレホンカードの代用として使用する人体部位は音声または声紋であるが、ここでは音声を用いる。なお、ここでいう音声照合と声紋照合の違いは、音声の場合には意味のある言葉を用い、音声認識を行い、照合データを絞って声紋照合を行う場合を指し、声紋の場合は単に発音された言葉を声紋（音声波形）のみで照合する場合を指している。
【００３０】
図３は、音声によるテレホンカード代用システムの構成図である。公衆電話4は基本的に現在使用されている通常の公衆電話と同じ構造になっている。異なる点は、電話機本体400に紙幣投入口440、紙幣返却口441、特殊ボタン421、422、423が設けられている。
【００３１】
まず、権利取得処理を説明する。
(1)利用者（権利取得希望者）が受話器410を外して、カード購入ボタン421を押すと、電話機本体400は「お金を投入してください。」のメッセージを音声とディスプレイ表示で利用者に知らせる（受話器には音声、ディスプレイには文字表示）。
(2)利用者は紙幣を紙幣投入口440に挿入する。小銭（コイン）がある場合には、小銭投入口442に挿入する。
(3)電話機本体400は挿入された金額を数え、「投入金額はＸＸ円です。正しければ確認ボタンを押してください。」のメッセージを音声とディスプレイ表示によって利用者の確認を要求する。
(4)利用者が確認ボタン423を押すと、本体400は「購入金額を入力してください。」のメッセージを音声とディスプレイ表示によって要求する。
(5)利用者は通常のダイヤルボタン420で購入希望金額を入力し、確認ボタンを押すと、本体はさらに「氏名を発音し、確認ボタンをおしてください。」のメッセージを音声とディスプレイ表示によって要求する。
(6)利用者が氏名を受話器で発音し、確認ボタンを押しと、購入希望金額と氏名が管理サーバーに送信される。
(7)金額と氏名メッセージを受信した管理サーバーは、金額のチェックと氏名の音声認識を行う。音声認識された氏名は平仮名文字に変換され、受信金額と平仮名文字をメッセージにして電話機本体400に送信する。
(8)メッセージを受信した電話機本体は、購入希望金額と平仮名化された氏名を音声とディスプレイ表示で利用者に告げ、さらに「よろしければ、再度確認ボタンを押してください。」のメッセージを音声とディスプレイ表示で利用者に知らせる。
(9)利用者が確認ボタンを押すと、確認信号が管理サーバーに送信される。
(10)確認信号を受信した管理サーバーは、氏名（文字変換された平仮）、音声（声紋）、購入金額を管理ＤＢ110に登録し、「権利取得処理完了」のメッセージを電話機本体400に送信する。
(11)メッセージを受信した電話機本体は「権利取得が完了しました。以降、音声で電話が使えます。」のメッセージを音声とディスプレイ表示で知らせる。
【００３２】
なお、利用者が発音した氏名は電話機本体でＡ／Ｄ変換され、音声認識は管理サーバーで行う。また管理サーバーの管理下にある管理ＤＢのレコード構造は、
・氏名（平仮名：文字列）
・声紋データ（照合元となるデータ）
・初期購入金額
・現時点の利用限度額
・履歴
：
：
から成っている。氏名はデータ検索のキーになる。
【００３３】
利用者（権利取得者）が通話する場合の処理は以下のとおりである。
(1)利用者が受話器410を取り、カード使用ボタン422を押すと、電話機本体400は「氏名を名乗って、確認ボタンを押してください。」のメッセージを音声とディスプレイ430表示で利用者に告げる。
(2)利用者が氏名を名乗り、確認ボタン423を押すと、電話機本体400は氏名（音声データ）を管理サーバー100に送信する。
(3)氏名（音声データ）を受信した管理サーバーは音声認識を行い、氏名（音声データ）を文字列（平仮名）に変換し、氏名をキーに管理ＤＢ110を検索し、検出したレコードの声紋データと送信されてきた音声データとを声紋照合し、一致した場合、利用限度額を付加して電話機本体に送信する。
(4)電話機本体は、「利用限度額はｘｘ円、通常の電話通話が行えます。」を音声とディスプレイ表示で利用者に告げる。
(5)利用者は通常のダイヤル操作（ボタン420の押下）を行うと、交換機1cを介して通話相手401につながる。
(6)利用者が通話中、電話機本体は通話時間と利用限度額を管理し、最新の利用限度額をディスプレイ430に表示し続ける。
(7)利用者が受話器を掛けてた時点で通話時間が止まり、最新の利用限度額を一定時間ディスプレイに表示する。また同時に、利用限度額を管理サーバーに送信する。
(8)管理サーバーは受信した利用限度額で“現時点の利用限度額”を更新する。
【００３４】
上記の説明では、プリンタについて説明を省いたが、電話機本体にプリンタを付加しておき、利用者が権利取得（カード購入時）した時点あるいは権利行使終了時点に、利用限度額を印刷して利用者に知らせる方法もある。また上記の例は公衆電話による権利取得例であるが、電話局で権利取得する方法も可能である。その場合には、図１の現場2が電話局2になる。この場合には、現金支払いによる権利取得以外に、加入電話による後払い（電話代に上乗せする支払い）の形態もとれる。先払い、後払いを可能にするためには、前記の管理ＤＢのレコード構造を、
・氏名                    ・・・・  平仮名：文字列
・声紋データ              ・・・・  照合元となるデータ
・支払い方法              ・・・・  ０：先払い、１：後払い
・初期購入金額
・現時点の利用限度額
・履歴
：
：
とする。後払い（支払い方法＝１）のときは、初期購入金額と現時点の利用限度額は、通話時、無視される。
【００３５】
バイオメトリックスによる本人確認を従来の証明書や印鑑等に代わる個人認証システム（バイオメトリックス個人認証システム）においても、図１のシステム構成がそのまま使える。権利取得行使システムと区別するために、以下では管理サーバー100を認証管理サーバーとよび、管理ＤＢ110は認証管理ＤＢをよぶことにする。本システムを利用する場合には、予め被認証者（認証を必要とする個人）の人体測定データを登録しておく必要がある。この点も、権利取得行使システムと同じである。
【００３６】
年齢認証は個人の年齢を認証するシステムであり、予め人体測定データ（通常、掌形や指紋を使用）と個人の生年月日を認証管理ＤＢに登録しておき、映画館やインターネットのアダルトサイトにアクセスするときに、人体測定データを入力して本人の年齢を確認するものである。選挙有権者は選挙時の本人確認を行うもので、現在、投票場で係員が名簿と有権者が持参した選挙票とで本人確認を行っているものを、人体測定データで済ませる方法である。この方法では、インターネットによる電子投票も可能である。その場合には、端末からＣＣＤカメラで掌形や指紋などの人体測定データを読み取らせることによって個人認証を行う。当然、人体測定データによる本人確認と重複投票の有無などのチェック機能を備えておく必要がある。印鑑証明では印鑑が使われるが、本発明下では印鑑の代わりに人体測定データを用いる。登記簿については、登記簿に指紋を押しておくことにより、その指紋を認証管理センターの認証管理ＤＢと照合することによって、正式なものであるかどうかを確認するものである。もし偽造されている場合には、内容が異なったり、あるいは指紋が登録されていないなどの不具合が生じる。資格証明証も基本的な確認方法は登記簿と同じである。納税時の本人確認、学校の出席簿、受験生確認は、人体測定データで本人を確認するもので、一般に掌形や指紋を用いる。銀行カード代用は、人体測定データだけで銀行預金の引き出しや振替など行えるようにしたものである。ポイントカード代用は、現在店が発行している用紙カード（判子を押すタイプのカード）や磁気カードの代わりに、人体測定データを読み取ることにポイント処理を行うシステムである。運転免許証は、運転免許証を不携帯のときにも、人体測定データを読み取らせることによって、本人が確認できるシステムである。人体測定データの登録／更新は、免許取得時あるいは免許更新時に行う。保護者確認は、幼稚園や保育園で適用するシステムであり、保護者として人体測定データを登録した保護者以外は園児や幼児を引き取ることができないようにしたシステムである。
【実施例】
【００３７】
パチンコ店における指紋によるプリペイドカード代用例を挙げる。図４は、指紋によるプリペイドカード代用システムのシステム構成図である。権利取得時の手順は以下のとおりである。
(1)利用者（遊技者）は権利獲得するために、紙幣を投入口540に挿入する。
(2)指紋読取装置付きカード購入端末5は、投入金額によって、以下の購入金額ボタン520のランプを点灯させる。
・千円投入時は千円ボタン520のランプが点灯。
・三千円以上を投入すると三千円と千円のボタンのランプが点灯。
・五千円以上投入時は千円、三千円、五千円ボタンのランプが点灯。
・一万円投入時はすべての購入金額ボタン520が点灯。
さらに表示部510に投入金額と「購入金額を選んでください。」のメッセージを表示する。
(3)利用者は希望の購入金額ボタンを押す。
(4)端末5は、「左手の親指を指当て部に触れてください」のメッセージを表示する。
(5)利用者は親指を指当て部（指紋読取部530）に触れる。
(6)端末は指紋読取部から読み取った指紋データと購入金額データを通信回線9を介して管理サーバー100に送信する。
(7)前記データを受信した管理サーバーは、指紋と購入金額を管理ＤＢ110に登録する。管理ＤＢのレコードは、
・指紋データ（照合元指紋データ）
・初期購入金額
・購入年月日
・残存金額（残高）
・履歴
・その他
の項目から構成されている。残存金額の初期値は初期購入金額と同じ値に設定する。管理サーバーがデータを受信したことを端末5に送信する。
(8)端末は、「ｘｘ円が使えます。処理が完了しました。」のメッセージを表示部510に表示し、同時に領収書551を印刷し、プリント用紙排出口550から排出する。釣り銭があるときは、釣り銭を返却口541から排出する。
(9)利用者は領収書と釣り銭を受け取る。
【００３８】
以上で指紋をプリペイドカードに使用できる権利が取得できたことになる。これを行使するときは、以下の手順で行う。
(1)パチンコ台6と指紋読取装置付き端末7とは連動していて、５００円単位の貸し玉が行われ、貸し玉は自動的にストック皿610に排出される。利用者（遊技者＝権利取得者）はまず、貸出ボタン720を押し、登録していある指（通常、左親指）を指紋読取部730に当てて指紋を読み取らせる。
(2)端末7が読み取った指紋データは通信回線9を介して管理サーバー100に送信される。
(3)管理サーバーは受信した指紋データを管理ＤＢ110の照合元指紋データと照合する。合致するデータを検出した場合には、残存金額（５００円単位の金額）を読み出し、残存金額が残っているときには貸出許可信号を端末7に送信する。
(4)貸出許可信号を受信した指紋読取装置はパチンコ台6のストック皿610に５００円分のパチンコ玉を排出すると同時に、管理サーバーに貸出完了信号を送信する。
(5)管理サーバーは管理ＤＢの残存金額から５００を差し引き、新たな残存金額として残存金額項目を更新する。さらに管理サーバーは更新された残存金額を指紋読取装置に送信する。
(6)残存金額を受信した指紋読取装置は、残存金額を表示部710に表示する。
(7)利用者が取っ手620を右に回すと、玉が遊技面に打ち出され、パチンコ遊技が行える。
【００３９】
なお、貸出ボタン720を押してから指紋読取操作を行っているのは、指紋読取部（装置）が読取準備に入る時間を設けることと、管理取得者が誤って指を指紋読取部730に触れても、玉の貸出が行われないようにするためである。また貸出ボタンを押してから１０秒以内に指紋読取を行いない場合は、購入操作がクリアされる（再度、貸出ボタンを押さないと貸出操作ができない）。
【００４０】
つぎに運転免許証代用システムの利用について説明にする。もちろん本システムでも、従来のように運転免許証の発行は行われる。しかし、同時に人体測定データも登録するシステムになっている。警察官が運転手に運転免許証の提示を要求し、運転免許の有無を確かめる点は崩さない。運転免許不携帯の場合、罰則が加わるが、本発明下では運転免許証を携帯してなくても、登録してある人体測定データで本人確認を行うことよって、運転免許取得者かどうかの確認できるようになっている。ここでは、人体測定データを指紋に限定して話を進める。
【００４１】
図５は、巡回中の警察官が運転手の運転免許有無を確認するときのシステム構成である。処理手順は以下のようになる。
(1)警察官は指紋読取装置付き携帯情報端末8を携帯し、運転免許を調べるとき、まず運転手の指紋を指紋読取部810で読み取る。
(2)読み取られた指紋データを携帯情報端末8は、無線電波9rを介して中継端末8iに送信する。中継端末はさらに通信回線9を介して認証管理サーバー100に送信する。
(3)認証管理サーバーは認証管理ＤＢ110に登録されている指紋データと受信した指紋データとを照合し、合致するデータが存在したとき、その関連データ（顔写真、氏名、生年月日、免許取得時期、有効期間等）を読み、中継端末に送信する。
(4)中継端末は関連データを無線9rを介して携帯情報端末に送信する。
(5)携帯情報端末から送信されてきた関連データは携帯情報端末の表示部820に表示される。基本的に、合致するデータが認証管理ＤＢに登録されていることがわかれば、免許証携帯者として扱う。より詳しい情報を知りたいとき（確認したい情報があるとき）には、警察官は運転手の年齢や氏名を聞き、表示部に表示されている情報と照らし合わせて確認することもできる。
【００４２】
以上の例は、免許証不携帯の運転手に対しての本人確認（免許取得者の有無チェック）であるが、免許証を携帯していも、最近は偽造免許証が使われることも少なくない。そのようなときにも、指紋を読み取り、認証管理ＤＢに登録されているかを確認することによって、運転免許証の是非を判定することができる。
【００４３】
つぎに自動車のドライバー確認とドアの開閉システムについて説明する。この方法に二通りの方法がある。一つはスタンドアロンにより方法、もう一つは通信によりものである。まず前者の場合、自動車に人体測定読取装置と人体測定データ照合機能を含む個人認証装置を搭載しておく。個人認証装置はドア開閉制御装置と連動していて、人体測定読取装置で読み取ったデータは車内に設置の個人認証装置で人体測定データの照合を行い、照合で可となった場合にドア開閉制御装置にドアロック解除指令を出し、ドアロックを解除する。もちろん、予め車内に設置の個人認証装置にドライバーの人体測定データを登録しておく必要がある。通信を使う場合には、個人認証装置部分は端末として働き、人体測定データの照合は認証管理センターで行う。具体的に、以下で説明する。
【００４４】
図６はドアc10と人体測定読取装置c30を示した図であり、図７は自動車c内に設置の端末c01とドア開閉制御装置c03を示した図である。人体測定データとして顔データを使っている。人体測定読取装置c30はＣＣＤカメラである。シャッタc31はバネ仕掛で通常下に降りているが、シャッタを上にずらすとＣＣＤカメラが露出し、作動スイッチが入ってドライバーの顔写真を撮す。顔写真は端末c01に送られ、さらに無線9rで認証管理センター1の認証管理サーバー100に送信される。認証管理サーバーは認証管理ＤＢ110の照合元顔データを読み取り、送信されてきた顔データと照合し、照合結果を端末に返信する。照合結果、本人と認証された場合には、端末はドア開閉制御装置c03にドアロック解除指令を出し、該制御装置によってドアロックが解除される。このあと、ドライバーは取っ手c20を手前に引けば、ドアc20が開く。
【００４５】
上記ではドライバー確認を顔形で行っていたが、音声で行うこともできる。音声の場合には、音声認識も行い、キーワードによる認識も可能である。この場合、c30はマイクであり、管理センター1の認証管理サーバー100では、声紋照合と音声認識の両方を行う。声紋照合では、音声のパターン認識であるから、声紋登録されているドライバーの肉声かどうかの判断となる。一方、音声認識では何が話されたかが重要になる。すなわち、声によるキーワード入力と認証装置によるキーワードチェックが行われる。例えば、キーワードとして「開け護摩」とした場合（登録した場合）、ドライバーがマイクc30から「開け護摩」と発音しなければならない。このダブルチェックで、より厳密な個人認証が行える。また音声認識では、キーワードを時々変えることもでき、二重、三重のセキュリティ管理が可能となる。なお、顔形と声紋、指紋と声紋のような複数の異なる人体的特徴を用いて個人認証する場合には、図６、図７の人体測定読取装置c30はＣＣＤカメラとマイク、あるいは指紋読取装置とマイクのような複数の異なる入力装置を取り付けることになる。
【図面の簡単な説明】
【００４６】
【図１】本発明のバイオメトリックスによる権利取得行使システムのシステム構成図である。
【図２】本発明のバイオメトリックスによる定期券代用システムのシステム構成図である。
【図３】本発明の音声によるテレホンカード代用システムのシステム構成図である。
【図４】本発明のバイオメトリックスによる権利取得行使システムを指紋によるパチンコ用プリペイドカード代用システムに適用したときのシステム構成図である。
【図５】本発明のバイオメトリックスによる運転免許証代用システムのシステム構成図である。
【図６】本発明のバイオメトリックスによるドライバー確認とドアの開放を行う際の、人体的特徴を読み取る人体測定読取装置の取り付け例を説明するための自動車のドア付近の側面図である。
【図７】本発明のバイオメトリックスによるドライバー確認とドアの開放を行う際の、認証管理センターと自動車の装置との関係を説明するためのブロック図である。
【符号の説明】
【００４７】
１        管理センター（認証管理センター）
１ｃ      電話交換機
１００    管理サーバー（認証管理サーバー）
１１０    管理データベース（管理ＤＢ、認証管理ＤＢ）
２        現場（権利行使場所、権利発行＜取得＞場所あるいは認証確認場所）
２００    人体測定装置付き端末
２１０    端末本体（パソコン、携帯情報端末など）
２１１    ディスプレイ
２１２    入力装置（キーボード、マウスなどの入力装置）
２１３    人体測定装置（指紋読取装置、掌形読取装置、音声入力装置等）
３        改札口
３００    改札機（掌形読取装置＜機能＞付き改札機）
３１１    表示部
３１３    人体測定装置（本例では掌形読取装置）
３１４    扉
４        公衆電話
４００    電話機本体
４０１    通話相手（通話相手の電話機）
４１０    受話器
４２０    ダイヤルボタン
４２１    カード購入ボタン（権利取得時に使用するボタン）
４２２    カード使用ボタン（権利行使時＜通話時＞に使用するボタン）
４２３    確認ボタン
４３０    ディスプレイ（表示部）
４４０    紙幣投入口（紙幣挿入口）
４４１    紙幣返却口
４４２    小銭返投入口
４４３    小銭返却口
５        指紋読取装置付きカード購入端末
５１０    ディスプレイ（表示部）
５２０    購入金額ボタン
５３０    指紋読取部（指紋読取装置）
５４０    紙幣投入口（紙幣挿入口）
５４１    紙幣返却口
５５０    領収書排出口
５５１    領収書
６        パチンコ台
６１０    ストック皿（パチンコ玉受け皿）    
６２０    取っ手（回転ハンドル）
７        指紋読取装置付き端末
７１０    ディスプレイ（表示部）
７２０    貸出ボタン
７３０    指紋読取部（指紋読取装置）
８        指紋読取装置付き携帯情報端末
８ｉ      中継端末
８１０    指紋読取部（指紋読取装置）
８２０    ディスプレイ（表示部）
８３０    操作ボタン（データの入力、確認等に使用）
９        通信回線（インターネット、電話回線等）
９ｒ      無線
ｃ        自動車
ｃ０１    個人認証装置または端末
ｃ０３    ドアロック制御装置
ｃ１０    ドア
ｃ２０    取っ手（ノブ）
ｃ３０    人体測定読取装置（ＣＣＤカメラ、マイク等）
【図１】
2005182240.tif 000003
【図２】
2005182240.tif 000004
【図３】
2005182240.tif 000005
【図４】
2005182240.tif 000006
【図５】
2005182240.tif 000007
【図６】
2005182240.tif 000008
【図７】
2005182240.tif 000009